(57)【特許請求の範囲】
【請求項１】
第１のパネル連結構造の間仕切りパネルと第２のパネル連結構造の間仕切りパネルを併設するにあたり相互に連結するようにしたパネルの連結構造であって、
第１のパネル連結構造の間仕切りパネルは、矩形フレームと両側のサイドパネルとから構成され、
上記第１のパネル連結構造の間仕切りパネルの左右の側部及び上端縁には凹溝（１０Ａ）が全長にわたって形成され、
上記第１のパネル連結構造は、上記凹溝（１０Ａ）内に嵌まり合う断面外形状をなし隣接する間仕切りパネルを連結するための支柱（１２）と、該支柱（１２）の側面及び上記間仕切りパネル（１０）の側部凹溝（１０Ａ）の底面の一方に固定された磁石板（１３）と、上記支柱（１２）の側面及び上記間仕切りパネル（１０）の側部凹溝（１０Ａ）の底面の他方に固定され、上記磁石板（１３）に磁着される磁石板又は金属板とを備える一方、
上記第２のパネル連結構造が、長手方向全長に蟻溝状の長溝が形成された第２の支柱と、該第２の支柱に連結されるべき第２の間仕切りパネルと、先端部が開拡可能に構成され、上記第２の間仕切りパネルの側面に取付けられ、上記第２の支柱の長溝に差し込まれ開拡されることによって上記第２の間仕切りパネルと第２の支柱とを固定する第２の連結具とから構成され、
第１のパネル連結構造における間仕切りパネルの側面に上記第２の連結具が第１のパネル連結構造における間仕切りパネルの側面に出没可能に取付けられ、突出させた上記第２の連結具の先端部が上記第２の支柱の蟻溝に差し込まれ開拡されて抜け止めされることによって第１のパネル連結構造の間仕切りパネルが上記第２の支柱に連結されることを特徴とするパネルの連結構造。
【請求項２】
第１のパネル連結構造の間仕切りパネルと第２のパネル連結構造の第２の間仕切りパネルを併設するにあたり相互に連結するようにしたパネルの連結構造であって、
第１のパネル連結構造の間仕切りパネルは、矩形フレームと両側のサイドパネルとから構成され、
上記第１のパネル連結構造の間仕切りパネルの左右の側部及び上端縁には凹溝（１０Ａ）が全長にわたって形成され、
上記第１のパネル連結構造は、上記凹溝（１０Ａ）内に嵌まり合う断面外形状をなし隣接する間仕切りパネルを連結するための支柱（１２）と、該支柱（１２）の側面及び上記間仕切りパネル（１０）の側部凹溝（１０Ａ）の底面の一方に固定された磁石板（１３）と、上記支柱（１２）の側面及び上記間仕切りパネル（１０）の側部凹溝（１０Ａ）の底面の他方に固定され、上記磁石板（１３）に磁着される磁石板又は金属板とを備える一方、
上記第２のパネル連結構造が、長手方向全長に蟻溝状の長溝が形成された第２の支柱と、該第２の支柱に連結されるべき第２の間仕切りパネルと、先端部が開拡可能に構成され、上記第２の間仕切りパネルの側面に取付けられ、上記第２の支柱の長溝に差し込まれ開拡されることによって上記第２の間仕切りパネルと第２の支柱とを固定する第２の連結具とから構成され、
上記第２の支柱の側部には第４の連結具が取付けられ、該第４の連結具が第１のパネル連結構造における間仕切りパネルの側部凹溝に嵌まり込んで該凹溝底面に取付けられた磁石板に磁着されることによって第１のパネル連結構造における間仕切りパネルが上記第２の支柱に連結されることを特徴とするパネルの連結構造。
【請求項３】
上記第１のパネル連結構造の間仕切りパネルの矩形フレーム（１０Ｂ）は左右の縦桟（１０Ｂ−１）の少なくとも上端の間及び下端の間を横桟（１０Ｂ−２）で連結して構成され、上記矩形フレーム（１０Ｂ）の縦桟（１０Ｂ−１）及び横桟（１０Ｂ−２）のパネル取付け面には取外し時にサイドパネル（１０Ｃ）を破損しないような締着強さの得られる幅の雌雄の面ファスナーの一方（１０Ｄ）が上記サイドパネル（１０Ｃ）の外形状に対応した形状に連続又は不連続に固着され、上記サイドパネル（１０Ｃ）の裏面には雌雄の面ファスナーの他方（１０Ｅ）がサイドパネル（１０Ｃ）の外形に沿った形状に連続又は不連続に固着され、上記雌雄の面ファスナー（１０Ｄ、１０Ｅ）が締着されることによって上記サイドパネル（１０Ｃ）が上記矩形フレーム（１０Ｂ）の縦桟（１０Ｂ−１）及び横桟（１０Ｂ−２）のパネル取付け面に着脱可能に取付けられている請求項１又は２記載のパネルの連結構造。
【請求項４】
上記第１のパネル連結構造の間仕切りパネルの矩形フレーム（１０Ｂ）とサイドパネル（１０Ｃ）とは上記左右の縦桟（１０Ｂ−１）が上記サイドパネル（１０Ｃ）の側縁から内方にずれた位置及び上側の横桟（１０Ｂ−２）がサイドパネル（１０Ｃ）の上端縁から下方にずれた位置になるように取付けられることによって左右の側面及び上端縁には凹溝（１０Ａ）が全長にわたって形成されている請求項１又は２記載のパネルの連結構造。
【発明の詳細な説明】
【技術分野】
【０００１】
この発明は間仕切りパネル及びパネルの連結構造に関し、特に複数枚を製造し準備することなく、簡単に装飾及びデザインを交換できるようにしたパネル及び構造に関する。
【背景技術】
【０００２】
見本市会場や展示会場などの各種イベント会場では合板などの表面を塗装し織布や装飾紙を貼り付けた間仕切りパネルを多数使用し、釘などを用いてブースを設営することが行われているが、使用後には間仕切りパネルはそのまま廃棄されることが多かった。
【０００３】
これに対し、表面を塗装し織布や装飾紙を貼り付けた矩形状の２枚の薄型パネルを間隔をあけて重ね、その四周縁に断面凹状の金属部材を嵌め込んで金具などで固定することによって間仕切りパネルを製作し、間仕切りパネルの凹部に両面粘着テープ又は面ファスナーを固着し、複数枚の間仕切りパネルを支柱の突状部に嵌め合せて接続し、又間仕切りパネルの上端面及び下端面に断面コ字状の桟を嵌め込んで見栄えを向上させるとともに間仕切りパネルを補強してブースを設営し、簡単に組立て分解できるようにしたブース構造が提案されている（特許文献１）。
【０００４】
しかし、特許文献１記載の間仕切りパネルでは両面粘着テープや面ファスナーで間仕切りパネルと支柱とを固定し、その上端面及び下端面に断面コ字状の上桟と下桟に嵌め込んで起立状態に保持するようにしているので、間仕切りパネルに衝撃が加わって上桟や下桟から間仕切りパネルが抜けると、間仕切りパネルが倒れるおそれがあった。
【０００５】
また、間仕切りパネルの側面凹部を支柱に形成した突状部に嵌め合せているので、継ぎ部で支柱がパネル面から突き出しており、広い平坦なパネル面として利用することが難しい。
【０００６】
他方、本件発明者らは、間仕切りパネルの側部凹溝の底面と支柱とを磁石板で磁着する一方、支柱の上端開口に連結具の連結支柱を差し込み、連結具の差込みピンを間仕切りパネルの上側隅部の補強具のピン差込み穴に差し込んで支柱と間仕切りパネルとを連結するように構成し、組立て分解が簡単にできるとともに、高い強度を有していて、衝撃によって間仕切りパネルが不意に倒れることがなく、さらには広い平坦なパネル面として利用できるようにした構造を提案するに至った（特許文献２）。
【先行技術文献】
【特許文献】
【０００７】
【特許文献１】特開２００１−９０２３２号公報
【特許文献２】実用新案登録第３１５１０２２号公報
【発明の開示】
【発明が解決しようとする課題】
【０００８】
しかし、特許文献２記載の間仕切りパネルではパネルの装飾やデザインをユーザの嗜好や展示会場の雰囲気などに応じて代えようとする場合、パネル自体を交換する必要があり、装飾やデザインの異なる複数枚のパネルを製造し準備し、展示会場まで輸送する必要があって、コスト高になるという問題があった。
【０００９】
本発明はかかる問題点に鑑み、簡単に輸送することができ、装飾やデザインを簡単に交換できるようにした間仕切りパネルを提供することを課題とする。
【課題を解決するための手段】
【００１０】
そこで、本発明に係る間仕切りパネルは、矩形フレームと両側の薄型サイドパネルとから構成される間仕切りパネルにおいて、上記矩形フレームは左右の縦桟の少なくとも上端の間及び下端の間を横桟で連結して構成され、上記矩形フレームの縦桟及び横桟のパネル取付け面には取外し時にサイドパネルを破損しないような締着強さの得られる幅の雌雄の面ファスナーの一方が上記サイドパネルの外形状に対応した形状に連続又は不連続に固着され、上記サイドパネルの裏面には雌雄の面ファスナーの他方がサイドパネル外形に沿って連結又は不連続に固着され、上記雌雄の面ファスナーが締着されることによって上記サイドパネルが上記矩形フレームの縦桟及び横桟のパネル取付け面に着脱可能に取付けられていることを特徴とする。
【００１１】
本発明の特徴の１つは矩形フレームと薄型サイドパネルとを雌雄の面ファスナーの締着によって着脱可能に取付けるようにした点にある。
【００１２】
これにより、サイドパネルを矩形フレームに取付け、矩形フレームから取り外すことができるが、サイドパネル自体は間仕切りパネルに比較して厚みが薄く、軽量であり、装飾やデサインの異なる厚みの薄い軽量のサイドパネルを製造し準備すればよく、安価に製造でき、安価に輸送でき、大幅なコストダウンを図ることができる。
【００１３】
面ファスナーは幅を変更することによって締着強さを調整することができる。他方、サイドパネルは薄型軽量であることから、面ファスナーの締着が強すぎると、サイドパネルを矩形フレームに強固に取付けることができるが、取外し時にサイドパネルが破損するおそれがある。そこで、面ファスナーは取外し時にサイドパネルを破損しないような締着強さの得られる幅に調整するのが重要である。
【００１４】
矩形フレームを縦桟と横桟とだけで構成すると、展示会場に設営するブースによっては間仕切りパネルの強度不足が懸念される場合がある。そこで、矩形フレームの縦桟の間及び／又は横桟の間には筋交い状の補強桟を固定して強度アップを図るのがよい。
【００１５】
また、矩形フレームは縦桟と横桟を矩形状に組み立てて釘などで強固に固定したものであってもよいが、分解・組立可能に構成すると、間仕切りパネルの輸送時に分解し、コンパクトにして輸送することができ、輸送作業が簡単になり、輸送コストを更にコストダウンできる。即ち、縦桟と横桟とを着脱可能に連結することによって矩形フレームを縦桟、横桟及びサイドパネルに分解し組立てられるように構成するのがよい。
【００１６】
特許文献２記載の連結構造を採用する場合、矩形フレームとサイドパネルとを、左右の縦桟がサイドパネルの側縁から内方にずれた位置及び上側の横桟が上端縁から下方にずれた位置になるように取付けることによって、間仕切りパネルの左右の側面及び上端縁には凹溝を全長にわたって形成することができる。
【００１７】
また、特許文献２記載の連結構造を採用する場合、隣接する間仕切りパネルを連結するための支柱を、凹溝を形成した前述の間仕切りパネルにおける凹溝内に嵌まり合う断面外形状となし、支柱の側面及び間仕切りパネルの側部凹溝の底面の一方には磁石板を固定し、他方には磁石板に磁着される磁石板又は金属板を固定するか、支柱を磁着可能な金属材料で製作するのがよい。
【００１８】
より具体的には、ピン差込み穴が形成された断面凹状の補強具を間仕切りパネルの上側凹溝内の少なくとも隅部に嵌め込み、支柱の上下両端のうち少なくとも上端に差込み口を形成する一方、支柱と間仕切りパネルとを連結する連結具を、間仕切りパネルの上側凹溝に嵌め込まれる連結板、該連結板に固定され上記支柱の上端差込み口に差し込まれる連結支柱、及び連結板に固定され補強具のピン差込み穴に差し込まれる差込みピンから構成することができる。
【００１９】
ところで、特許文献２記載のパネルの連結構造では断面四角形状の支柱と側面に凹溝が形成された間仕切りパネルの連結に限定され、例えば支柱の長手方向に蟻溝を形成し、蟻溝に間仕切りパネル側面の連結具を差し込んで支柱と間仕切りパネルとを連結する方式のパネル構造体（商品名：オクタノルムシステム）やその間仕切りパネルとは連結することができない。
【００２０】
その結果、オクタノルムシステムのユーザがそのパネルの構造体を特許文献２記載のパネル構造体に並べて設置したい場合、隣接する構造体の間に隙間ができ、見本市会場や展示会場などの各種イベント会場においてブースのばらつきが目立ち、見栄えが悪い。
【００２１】
本発明によれば、本例（請求項５記載）のパネルの連結構造と第２のパネルの連結構造とを併設するにあたり相互に連結するようにしたパネルの連結構造であって、第２のパネル構造が、長手方向全長に蟻溝状の長溝が形成された第２の支柱と、第２の支柱に連結されるべき第２の間仕切りパネルと、先端部が開拡可能に構成され、第２の間仕切りパネルの側面に取付けられ、第２の支柱の長溝に差し込まれ開拡されることによって第２の間仕切りパネルと第２の支柱とを固定する第２の連結具とから構成され、本例（請求項５記載）のパネルの連結構造における間仕切りパネルの側面に第２の連結具が出没可能に取付けられ、突出させた第２の連結具の先端部が第２の支柱の蟻溝に差し込まれ開拡されて抜け止めされることによって本例（請求項５記載）の間仕切りパネルが第２の支柱に連結されることを特徴とするパネルの連結構造、を提供することができる。
【００２２】
上記では本例のパネルの連結構造の間仕切りパネルに第２のパネルの連結構造の連結具を設け、この連結具を第２のパネル構造体の支柱の蟻溝に差し込み開拡させて抜け止めするようにしたが、第２のパネル構造体の支柱に磁着可能な連結ブロック（第４の連結具）を取付け、この連結具を第１のパネル構造体のパネル凹溝に嵌め合わせ、磁石板によって磁着して連結することもできる。
【００２３】
即ち、本発明によれば、本例（請求項５記載）のパネルの連結構造と第２のパネルの連結構造とを併設するにあたり相互に連結するようにしたパネルの連結構造であって、上記第２のパネル構造が、長手方向全長に蟻溝状の長溝が形成された第２の支柱と、該第２の支柱に連結されるべき第２の間仕切りパネルと、先端部が開拡可能に構成され、上記第２の間仕切りパネルの側面に取付けられ、上記第２の支柱の長溝に差し込まれ開拡されることによって上記第２の間仕切りパネルと第２の支柱とを固定する第２の連結具とから構成され、上記第２の支柱の側部には第４の連結具が取付けられ、該第４の連結具が本例（請求項５記載）のパネルの連結構造における間仕切りパネルの側部凹溝に嵌まり込んで該凹溝底面に取付けられた磁石板に磁着されることによって本例（請求項５記載）のパネルの連結構造における間仕切りパネルが上記第２の支柱に連結されることを特徴とするパネルの連結構造を提供することができる。
【００２４】
本発明によれば、連結方式の異なる２つのパネルの連結構造における間仕切りパネルと支柱を隙間なく連結することができ、２つのパネルの連結構造を隙間なく並設することができ、見本市会場などの各種イベント会場におけるブースの見栄えを大幅に向上することができる。
【図面の簡単な説明】
【００２５】
【図１】本発明に係る間仕切りパネルの好ましい実施形態におけるサイドパネルを取り外した状態を示す図である。
【図２】上記実施形態における矩形フレームの面ファスナーの取付け状態を示す図である。
【図３】上記実施形態における矩形フレームの縦桟と横桟を分解した状態を示す図である。
【図４】第２の実施形態における矩形フレームを示す図である。
【図５】図４における補強桟を示す拡大図である。
【図６】第１の実施形態による間仕切りパネルを用いたパネル連結構造の１例を示す概略斜視図である。
【図７】上記連結構造における連結金具による支柱と間仕切りパネルの連結方法を模式的に示す斜視図である。
【図８】上記連結構造における照明器具の取付け状態を示す斜視図である。
【図９】上記連結構造における間仕切りパネルを示す図である。
【図１０】上記連結構造における間仕切りパネルの隅部を示す図である。
【図１１】上記連結構造における補強金具を示す図である。
【図１２】上記連結構造における連結金具を示す図である。
【図１３】上記連結構造における他の連結金具を示す図である。
【図１４】上記連結構造におけるさらに他の連結金具を示す図である。
【図１５】上記連結構造におけるさらにまた他の連結金具を示す図である。
【図１６】上記連結構造における補強金具を示す図である。
【図１７】本発明に係るパネルの連結構造の好ましい実施形態における間仕切りパネルを示す図である。
【図１８】図１７における支柱の要部断面図である。
【図１９】第２のパネルの連結構造における第２の間仕切りパネルの連結具の正面及び裏面を示す図である。
【図２０】第２のパネルの連結構造における第２の支柱を示す断面図である。
【図２１】第２の支柱を示す正面図である。
【図２２】上記実施形態における連結前の状態を示す斜視図である。
【図２３】上記実施形態における連結後の状態を示す斜視図である。
【図２４】第２の実施形態における第２の支柱を示す断面図である。
【図２５】第２の支柱を示す側面及び正面を示す図である。
【図２６】上記実施形態における連結前の状態を示す斜視図である。
【図２７】矩形フレームの他の組立て方法を示す図である。
【発明を実施するための形態】
【００２６】
以下、本発明を具体例に基づいて詳細に説明する。図１ないし図１６は第１のパネルの連結構造の好ましい実施形態を示す。第１のパネルの連結構造体であるブース１００は図６に示されるように左右両側面及び背面が壁面１１０で構成されるとともに、正面が開放され、壁面１１０は複数枚の第１の間仕切りパネル１０と第１の支柱１２によって構成されている。この第１の間仕切りパネル１０は寸法的には高さ２７００ｍｍ×幅１０００ｍｍ、高さ２５００ｍｍ×幅１０００ｍｍ、高さ２４００ｍｍ×幅１０００ｍｍ、高さ２１００ｍｍ×幅９００ｍｍ、高さ１８００ｍｍ×幅９００ｍｍ、等がある。
【００２７】
第１の間仕切りパネル１０は矩形フレーム１０Ｂの両側を薄型のサイドパネル１０Ｃで挟んで相互に着脱可能に取付けて構成され、サイドパネル１０Ｃには表面を塗装し織布や装飾紙を貼り付けることによって装飾が施されている。矩形フレーム１０Ｂは左右の縦桟１０Ｂ−１の間に横桟１０Ｂ−２を上下に間隔をあけて配置し、図３に示されるように嵌め合い構造にて着脱可能に連結して製作されている。
【００２８】
なお、強度が要求される場合には間仕切りパネル１０Ｂの縦桟１０Ｂ−１と横桟１０Ｂ−２とにタッカー針を打ち込んで固定するようにしてもよい。また、図４及び図５に示されるように、縦桟１０Ｂ−１及び横桟１０Ｂ−２には先端１０Ｈを直角に加工した筋交い状の補強桟１０Ｇをタッカー針などによって固定し、間仕切りパネル１０の強度アップを図ることもできる。
【００２９】
また、図２７に示されるように、縦桟１０Ｂ−１の両端部に取付け穴１０Ｂ−３を穿設し、ねじ穴を有する取付け具１０Ｂ−４を嵌め込む一方、上下の横桟１０Ｂ−２には挿通穴１０Ｂ−６を穿設して取付けねじ１０Ｂ−５を挿通して取付け具１０Ｂ−４に螺合させることによって矩形フレーム１０Ｂを構成する。中間の横桟１０Ｂ−２については横桟１０Ｂ−２の両端部に取付け穴１０Ｂ−３を穿設し、ねじ穴を有する取付け具１０Ｂ−４を嵌め込む一方、縦桟１０Ｂ−１には挿通穴１０Ｂ−６を穿設して取付けねじ１０Ｂ−５を挿通して取付け具１０Ｂ−４に螺合させることによって中間の横桟１０Ｂ−２を取付けるようにすることもできる。
【００３０】
以上のように、矩形フレーム１０Ｂを組立て式に構成すると、間仕切りパネル１０を矩形フレーム１０Ｂとサイドパネル１０Ｃに分解してサイドパネル１０Ｃは積み重ね、矩形フレーム１０Ｂを縦桟１０Ｂ−１と横桟１０Ｂ−２に分解することによって例えば段ボール箱に収納することによって容易に輸送することができる。
【００３１】
ここで、矩形フレーム１０Ｂの縦桟１０Ｂ−１及び横桟１０Ｂ−２のパネル取付け面にはサイドパネル１０Ｃの取外し時にサイドパネル１０Ｃが破損しない程度の締着強さとなるような幅に加工された雌雄の面ファスナーの一方１０Ｄが接着剤や両面粘着テープなどによってサイドパネル１０Ｃの外形に応じた形状に固着され、サイドパネル１０Ｃの裏面には雌雄の面ファスナーの他方１０Ｅが接着剤や両面粘着テープなどによってサイドパネル１０Ｃの外形に沿った形状に固着され、サイドパネル１０Ｃが矩形フレーム１０Ｂに着脱可能に取付けられている。
【００３２】
また、矩形フレーム１０Ｂとサイドパネル１０Ｃとは左右の縦桟１０Ｂ−１がサイドパネル１０Ｂ−２の側端縁から内方にずれた位置及び上側の横桟１０Ｂ−２が上端縁から下方にずれた位置になるように取付けられることによって第１の間仕切りパネル１０の左右の両側面及び上端縁には凹溝が全長にわたって形成されている。
【００３３】
この第１の間仕切りパネル１０の上下の四隅には補強金具１１、１８がねじなどによって固定され、又第１の間仕切りパネル１０の上側凹溝１０Ａ内には断面凹溝状の補強金具１９が嵌め込まれ、ねじなどによって固定されている。
【００３４】
第１の間仕切りパネル１０の上側隅部の補強金具１１は側面Ｌ字状でかつ断面凹溝状をなし、凹溝１０Ａの上辺底面にはピン差込み穴１１Ａが形成され、又他方の補強金具１８は側面Ｌ字状をなし、縦辺部分は断面凹溝状に形成されている。
【００３５】
また、第１の間仕切りパネル１０の両側辺の凹溝１０Ａの底面には複数枚、例えば５枚の磁石板１３が上下方向に間隔をあけて固着されている。
【００３６】
他方、第１の支柱１２には連続するように並べた２枚の間仕切りパネル１０の側縁の凹溝１０Ａに嵌まり込む大きさの断面四角形状の金属パイプが用いられ、第１の支柱１２の上端は開口されている。
【００３７】
また、第１の間仕切りパネル１０と第１の支柱１２とは連結金具１４によって連結されている。この連結金具１４は連結板１４Ａの中央に連結支柱１４Ａを固定し、側方に差込みピン１４Ｃを固定して構成され、連結板１４Ａには平面直線状（図１２）、平面Ｌ字状（図１３）、平面Ｔ字状（図１４）又は平面十字状（図１５）に形成されている。
【００３８】
また、第１の間仕切りパネル１０の上端凹溝１０Ａの隅部及び補強金具１１には図７に示されるように挿通穴１１Ｂが下方に延びて形成され、電源コード２０Ｂを間仕切りパネル１０内に挿通することができるようになっている。
【００３９】
間仕切りパネル１０を組立てる場合、縦桟１０Ｂ−１及び横桟１０Ｂ−２を矩形状にレイアウトし、図３に示されるような嵌め合いによって縦桟１０Ｂ−１と横桟１０Ｂ−２とを連結して矩形フレーム１０Ｂを組立て、縦桟１０Ｂ−１と横桟１０Ｂ−２とにタッカー針を打ち込んで固定する。
【００４０】
次に、矩形フレーム１０Ｂの縦桟１０Ｂ−１及び横桟１０Ｂ−２に所定幅の雌雄の面ファスナーのうちの一方１０Ｄをサイドパネル１０Ｃの外形状に対応した形状に接着剤や両面粘着テープなどによって固着する。他方、サイドパネル１０Ｃの裏面にもその外形に沿った形状に雌雄の面ファスナーのうちの他方１０Ｅを接着剤や両面粘着テープなどによって固着し、雌雄の面ファスナー１０Ｄ、１０Ｅを相互に締着させることによってサイドパネル１０Ｃを矩形フレーム１０Ｂに着脱可能に取付ける。
【００４１】
このとき、矩形フレーム１０Ｂの側端縁がサイドパネル１０Ｃの側端縁から内方にずれた位置及び上端縁が上端縁から下方にずれた位置にくるように寸法関係を設定し、間仕切りパネル１０の両側及び上部に凹溝１０Ａを形成する。
【００４２】
サイドパネル１０Ｃの装飾やデザインを変更する場合、ユーザの嗜好や展示会場の雰囲気に応じた装飾やデザインのサイドパネル１０Ｃを準備して交換すればよい。
【００４３】
ブース１００を組み立てる場合、３枚又は４枚の間仕切りパネル１０を並べ、隣接する間仕切りパネル１０の側縁凹溝１０Ａ内に支柱１２を嵌め込むと、間仕切りパネル１０の磁石板１３が支柱１２に強固に磁着し、３枚又は４枚の間仕切りパネル１０が仮連結される。このとき、磁石板１３の磁力が強いと、支柱１２に対する間仕切りパネル１０の上下位置を調整できるので、平坦でない床面（地面）上にも支柱１２及び間仕切りパネル１０を安定にかつ確実に立設することができる。
【００４４】
次に、直線状の連結板１４Ａを有する連結金具１４を用い、連結金具１４を間仕切りパネル１０の凹溝１０Ａ内に、隣接する間仕切りパネル１０にわたるように嵌め込み、連結支柱１４Ｂを支柱１２の上端開口１２Ａに、差込みピン１４Ｃをピン差込み穴１１Ａに差し込むと、隣接する間仕切りパネル１０を確実に連結することができる。
【００４５】
こうして間仕切りパネル１０を連結できると、これを直交するように起立させ、その外端の凹溝１０Ａに支柱１２を嵌め込むと、磁石板１３によって間仕切りパネル１０が直交した状態で支柱１２に磁着されて仮連結できるので、最後にＬ字状の連結板１４Ａを有する連結金具１４を用いて外端の間仕切りパネル１０を連結すると、３枚又は４枚の間仕切りパネル１０が自立し、図６に示されるように左右の両側及び背面の壁面１１０が形成され、正面を連結板１７が連結すると、ブース１００を組み立てることができる。
【００４６】
そして、必要に応じてクリップ２０Ａで間仕切りパネル１０の凹溝１０Ａの側壁を挟持して、例えば照明器具２０を固定し、電気コード２０Ｂを凹溝１０Ａ内に見栄えよく配線するか、挿通穴１１Ｂから間仕切りパネル１０内を挿通することができる。
【００４７】
分解する場合は上記と逆の手順で作業を行えばよい。
【００４８】
以上のように、間仕切りパネル１０と支柱１２とを簡単に連結することができ、又簡単に分解することができる。しかも、間仕切りパネル１０と支柱１２とを磁着するだけでなく、連結板１４Ａ、差込みピン１４Ｃ及び連結支柱１４Ｂで構成される連結具１４によって間仕切りパネル１０と支柱１２とを強固に連結できるので、何らかの原因で間仕切りパネル１０に大きな衝撃が加わっても間仕切りパネル１０が倒れることはない。
【００４９】
また、２枚の間仕切りパネル１０を支柱を介して相互に直交するように連結しているので、支柱１２を床面に固定しなくとも壁面を自立させることができ、組立て分解をより簡単にできる。
【００５０】
また、複数のブース１００を並べて組み立てる場合には平面Ｔ字状の連結板１４Ａを有する連結金具１４、平面十字状の連結板１４Ａを有する連結金具１４を用いることによって複雑な構造のブース１００を組み立てることができる。
【００５１】
なお、上記の例では間仕切りパネル１０の下部を平坦に形成したが、凹溝形状に形成し、上部と同様の構造で連結するようにしてもよい。
【００５２】
また、上記実施例では正面を開放したが、壁面を形成し、壁面に出入り口を形成するようにしてもよい。
【００５３】
次に、図１７ないし図２３は構造の異なるブースを併設する場合における連結構造の例を示す。第１構造のブース１００は第１の間仕切りパネル１０と第１の支柱１２を連結して構成され、第２構造のブース２００は第２の間仕切りパネル２０と第２の支柱２１を連結して構成される。第２構造のブースには例えば商品名：オクタノルムシステムとして公知のものを採用することができる。
【００５４】
第１の間仕切りパネル１０は上述のように三周縁が凹溝状に形成され、第１の間仕切りパネル１０の側面凹溝１０Ａの底面には磁石板１３が上下に間隔をあけて固定され、第１の支柱１２は第１の間仕切りパネル１０の側面凹溝１０Ａ内に嵌まり込む外形状に形成されており、第１の支柱１２は第１の間仕切りパネル１０の側面凹溝１０Ａ底面に磁石板１３によって磁着されて固定されるようになっている。
【００５５】
他方、第２の間仕切りパネル２０は側面上端と側面下端に連結具２２が固定され、連結具２２は図１９に示されるように３枚の小帯片２２Ａ、２２Ｂ、２２Ｃの基部を固定し、中央の小帯片２２Ｂにねじの先端を当接させ、ねじの途中に両側の小帯片２２Ａ、２２Ｃを連携させ、六角穴２２Ｄ又はねじ２２Ｅを回転することによって両側の小帯片２２Ａ、２２Ｃと中央の小帯片２２Ｂの先端部が相互に開拡し、逆回転させることによって相互に閉縮するようになっている。
【００５６】
第２の支柱２１は図２０の（ａ）に示されるように、断面四角形状をなし、４つの側面に蟻溝２１Ａが長手方向全長にわたって形成されており、 図２２及び図２３に示されるように第２の間仕切りパネル２０の連結具２２の先端部が差し込まれ開拡されて抜け止めされることによって第２の間仕切りパネル２０が第２の支柱２１に連結されるようになっている。なお、第２の支柱は２１は図２０の（ｂ）に示されるように断面八角形とし、各側面に蟻溝２１Ａを形成するようにしてもよい。
【００５７】
また、第１の間仕切りパネル１０の側面には図１８に示されるように、収納スペース１０Ｈが穿設されて第２の間仕切りパネル２０の連結具２２が側方に出没自在に収納されており、図２２に示されるように第１の間仕切りパネル１０の連結具２２が第２の支柱２１の蟻溝２１Ａに差し込まれ開拡されて抜け止めされることによって第１の間仕切りパネル１０を第２の支柱２１に連結でき、こうして図２３に示されるように、連結方式の異なる第１の間仕切りパネル１０と第２の間仕切りパネル２０とを第２の支柱２１によって１枚のパネルのように連結することができる。
【００５８】
図２４ないし図２６はパネルの連結構造の第２の実施形態を示す。本例では第２の支柱２１の側面に磁着可能な複数の連結ブロック（第４の連結具）２４が第１の間仕切りパネル１０の側面凹溝１０Ａの底面の磁石板１３に対応する間隔をあけてねじによって固定されている。
【００５９】
本例では第２の支柱２１を第１の間仕切りパネル１０の側面凹溝１０Ａ内に嵌め込むと、凹溝１０Ａの底面の磁石板１３に磁着され、第１の間仕切りパネル１０が第２の支柱２１に強固に連結され、これによって第１の実施形態と同様に１枚のパネルのように連結することができる。
【符号の説明】
【００６０】
１０      第１の間仕切りパネル
１０Ａ    凹溝
１０Ｂ    矩形フレーム
１０Ｂ−１    縦桟
１０Ｂ−２    横桟
１０Ｃ    サイドパネル
１０Ｄ，１０Ｅ    面ファスナー
１２      第１の支柱
２０      第２の間仕切りパネル
２１      第２の支柱
１００      第１のパネルの連結構造
２００      第２のパネルの連結構造
【図１】
0005735270.tif 000002
【図２】
0005735270.tif 000003
【図３】
0005735270.tif 000004
【図４】
0005735270.tif 000005
【図５】
0005735270.tif 000006
【図６】
0005735270.tif 000007
【図７】
0005735270.tif 000008
【図８】
0005735270.tif 000009
【図９】
0005735270.tif 000010
【図１０】
0005735270.tif 000011
【図１１】
0005735270.tif 000012
【図１２】
0005735270.tif 000013
【図１３】
0005735270.tif 000014
【図１４】
0005735270.tif 000015
【図１５】
0005735270.tif 000016
【図１６】
0005735270.tif 000017
【図１７】
0005735270.tif 000018
【図１８】
0005735270.tif 000019
【図１９】
0005735270.tif 000020
【図２０】
0005735270.tif 000021
【図２１】
0005735270.tif 000022
【図２２】
0005735270.tif 000023
【図２３】
0005735270.tif 000024
【図２４】
0005735270.tif 000025
【図２５】
0005735270.tif 000026
【図２６】
0005735270.tif 000027
【図２７】
0005735270.tif 000028